(57)【要約】【課題】細菌の侵入や排出に対するバリヤを飼育ケージごとに構築するように構成された実験動物飼育用のラック装置を提供することにある。【解決手段】飼育ケージ１０１を出入り可能に収納するケージ収容部１６の上方には、給気ユニット取り付け手段１８が設けられている。給気ユニット取り付け手段１８は、給気ユニット１０２を着脱可能に保持するホルダー１９を初期位置とセット位置との間で往復移動可能にすると共にセット位置に近づくにしたがいケージ収容部１６の底面へ向かう方向へ移動する移動支持機構部２４を備えている。飼育ケージ１０１をケージ収容部１６へ進入させるとき、連動部材２１と移動支持機構部２４とによりホルダー１９が飼育ケージ１０１と共に後方へ移動しながら、ケージ収容部の底面へ向かう方向へも移動し、ホルダー１９で保持されている給気ユニット１０２をセット位置で飼育ケージ１０１のカバー１１１上に密着させるように飼育ケージの動きに対応して自動的に動く。【選択図】図６
2006314264.tif 000002
【特許請求の範囲】
【請求項１】
上部の開口を着脱自在なカバーで覆って密閉された飼育ケージと、該飼育ケージの前記カバー上に着脱可能に設置され、前記カバーに形成された通気口から清浄な空気を該飼育ケージ内に供給する給気ユニットとからなる少なくとも１つの飼育ケージ装置を保管して飼育管理を行う実験動物飼育用のラック装置において、
前記飼育ケージを出入り可能に収納する少なくとも１つのケージ収容部と、該ケージ収容部の上方に設けられた給気ユニット取り付け手段とを備え、前記飼育ケージは前記ラック装置の前方から後方へ向かって前記ケージ収容部へ進入し、かつその逆方向へ向かって前記ケージ収容部から取り出し可能であり、
前記給気ユニット取り付け手段が、前記給気ユニットを着脱可能に保持するホルダーと、該ホルダーを前記ラック装置の前方側に設定された初期位置と後方側に設定されたセット位置との間で往復移動可能にすると共に前記ホルダーが前記セット位置に近づくにしたがい前記ケージ収容部の底面へ向かう方向へ移動する移動支持機構部と、前記飼育ケージが前記ケージ収容部へ進入するとき前記飼育ケージの進入に連動して前記ホルダーを前記初期位置から前記セット位置へ動かす連動部材とから構成され、
前記飼育ケージを前記ラック装置の前方から前記ケージ収容部へ進入させるとき、前記連動部材と前記移動支持機構部とにより前記ホルダーが前記飼育ケージと共に前記後方へ移動しながら、前記ケージ収容部の前記底面へ向かう方向へも移動し、前記ホルダーで保持されている前記給気ユニットを前記セット位置で前記飼育ケージの前記カバー上に密着させることを特徴とする前記実験動物飼育用のラック装置。
【請求項２】
前記移動支持機構部が、前記ホルダーを前記セット位置から前記初期位置へ戻す方向への復帰力を付与する復帰力付勢手段を備え、該復帰力付勢手段は、前記ホルダーが前記セット位置にあるとき前記復帰力を前記ホルダーに対して非付勢状態にする請求項１に記載の実験動物飼育用のラック装置。
【請求項３】
前記給気ユニット取り付け手段が、前記飼育ケージの前記ケージ収容部における両側部に配置され、前記前後方向へ延びる一対の支持板を備え、
前記移動支持機構部が、前記各支持板に形成され、前記前後方向へ延びるガイドスロットを含み、前記ホルダーが、その両側部に設けられた突起部を前記ガイドスロット内に摺動可能に嵌合して移動可能に支持されている請求項１または２に記載の実験動物飼育用のラック装置。
【請求項４】
前記ガイドスロットが、前記前方から前記ケージ収容部の前記底面へ向かう方向へ傾斜しながら後方へ向かっている請求項３に記載の実験動物飼育用のラック装置。
【請求項５】
前記移動支持機構部の前記復帰力付勢手段が、前記支持板に取り付けられたねじりコイルバネから構成され、該ねじりコイルバネの一方のバネ端が前記支持板の前記スロットから突出する前記突起部に係合し、他方のバネ端が前記支持板に係止され、前記突起部に係合している前記一方のバネ端が、前記ホルダーを前記初期位置の方向へ付勢する水平方向分力と前記ケージ収容部の前記底面へ向かうほぼ垂直な方向へ付勢する垂直方向分力との合成力を前記突起部に付与し、
前記ねじりコイルバネは、前記ホルダーが前記初期位置から前記セット位置までの間を移動するときは、前記ねじりコイルバネの前記一方のバネ端により前記突起部に付勢する前記合成力のうち前記水平方向分力が前記垂直方向分力より大きく、前記ホルダーが前記セット位置にきたとき、前記垂直方向分力が前記水平方向分力より大きくなる位置で前記支持板に取り付けられている請求項４に記載の実験動物飼育用のラック装置。
【請求項６】
前記給気ユニット取り付け手段が、前記ホルダーの後方に取り付けられたロッド当接部を備え、また前記ホルダーが、その後端部に取り付けられた給電用端子を備え、前記給気ユニットが前記ホルダーに保持されたとき、前記給電用端子が前記給気ユニットの後端部に設けられているソケットに差し込まれ、前記給気ユニットを保持している前記ホルダーが、前記飼育ケージの前記ケージ収容部への進入に連動して前記セット位置に移動したとき、前記給気ユニットの後端部から突出する電源スイッチ装置のロッドが前記ロッド当接部に当接して押し込まれ、前記給気ユニットに設けられている給気用のファン装置に給電して作動させる請求項２〜５のいずれかに記載の実験動物飼育用のラック装置。
【請求項７】
前記ラック装置は、該ラック装置の全体を熱により滅菌することが可能なように少なくとも１２１度以上の熱に耐え得る材料で形成されている請求項１〜６のいずかに記載の実験動物飼育用のラック装置。
【発明の詳細な説明】
【技術分野】
【０００１】
本発明は、実験動物飼育用のラック装置に関し、更に詳細には、例えば医薬品の開発或いは医学的な種々の実験や検証などで使用するマウスなどのような小形の実験動物を入れた実験動物飼育用ケージを保管して飼育管理するラック装置に関する。
【背景技術】
【０００２】
従来、医学的な種々の実験や検証などで使用するマウス、ラット、モルモット、ハムスターなど実験用の小動物は、それら実験動物への細菌感染或いはそれら実験動物からの細菌漏出に対して十分な管理を図るように設備の整った実験室（実験動物飼育室）で飼育されている。
【０００３】
従来の実験動物飼育室では、実験動物を細菌などの微生物から保護し、或いは実験動物飼育室から細菌などの微生物の外部への漏出を防止するために実験動物飼育装置によってこれら実験動物が飼育されていた。従来の実験動物飼育装置としては、登録実用新案第２５０６４６７号公報（特許文献１）に開示された考案を挙げることができる。
【０００４】
特許文献１に開示された実験動物飼育装置は、実験動物飼育室内に設置されたラックと、このラックに乗せられた複数の飼育ケージとによって構成されていた。ラックは、水平方向（横方向）に延びる複数の棚板を垂直方向（縦方向）に所定の間隔をあけて並べ、これら各棚板を支柱で支持して構成されている。ラックの背面には、排気チャンバーを内部に形成した排気ボックスがラックに密着して取り付けられ、またラックの両側面には、給気チャンバーを内部に形成した給気ボックスがラックに密着して取り付けられている。
【０００５】
ラックの各棚板間の空間は、飼育ケージを配置するケージ収容部とされ、ケージ収容部は、棚板の横方向にほぼ所定の間隔をあけて形成され、各ケージ収容部には、それぞれ飼育ケージが配置され、実験動物はこれら飼育ケージに収容されて飼育される。これらケージ収容部の背面側は、ラックの背面側に取り付けられている排気ボックスのケーシング板で塞がれている。このケーシング板には、ケージ収容部に配置される各飼育ケージの位置にほぼ対応して排出口が形成されており、各ケージ収容部は各排出口を介して排気ボックスの排気チャンバーに連通している。
【０００６】
各棚板は、間隔をあけて配置された２枚の隔壁によって構成され、内部に給気ダクトを形成している。給気ダクトは、ラックの両側端に配置された給気ボックスの給気チャンバーに連通している。１つのケージ収容部の上部に位置する上段の棚板の底面（隔壁）には、ケージ収容部に配置される飼育ケージに対応した数の吹出口が形成されており、給気チャンバーから給気ダクトに供給された空気がこれら吹出口からケージ収容部に向かって吹き出す。排気ボックスと給気ボックスとは、それぞれ排気ダクトと空気取り入れダクトとによって実験動物飼育室の外に設置されている空気調和装置と排気装置に接続されている。
【０００７】
このような実験動物飼育室は、天井に設けられた室内用の空調空気吹出口と換気口（排気口）とによって換気されている。すなわち、実験動物飼育室と各飼育ケージとの換気は、それぞれ別の清浄空気供給系統により管理されている。
【特許文献１】登録実用新案第２５０６４６７号公報
【発明の開示】
【発明が解決しようとする課題】
【０００８】
従来の実験動物飼育装置では、実験動物飼育室の換気とはまったく別の清浄空気供給系統によって各飼育ケージ内を強制的に換気していた。そのため、各飼育ケージの換気の確認は、例えば、各飼育ケージの給気口に換気量計測機器を設置して換気を検出するなどしないとできなかった。従来の実験動物飼育装置では、飼育ケージへの給気が、ラックごと、或いは実験動物飼育室ごとの送気装置により行われていたことから、送気装置が何らかの原因で停止すると、多数の飼育ケージ内の換気が停止し、実験動物の飼育に対して重大な事故となることから、各飼育ケージの換気を確認することは重要なことであった。しかし、多数の飼育ケージそれぞれの給気口に換気量計測機器を設置して換気の有無を管理することは多大な労力と費用を必要とすることから、実験動物の飼育に要するコストを高める原因となっていた。
【０００９】
また、従来の実験動物飼育装置では、飼育ケージをラックから取り出して別な場所へ搬送することが困難であり、特別なケージに実験動物を移し替えて搬送していた。その理由は、飼育ケージをラックから取り出すために給気口と給気ダクトの吹出口との接続を外すと飼育ケージ内への換気が停止し、飼育ケージ２８内の飼育環境を悪化させることになるからである。従って、飼育ケージをラックから取り外した状態でも飼育ケージ内の換気を継続できることが望まれていた。
【００１０】
さらに、従来の実験動物飼育装置では、棚板の上に配置された個々の飼育ケージに直接清浄空気を供給するように棚板内に給気ダクトを形成しているため、ラックの構造が複雑になり、しかもラックを構成する棚板の数は、設置する実験動物飼育室の床面から天井面までの高さにより決まるため、内部に給気ダクトが形成された厚い棚板を使用する従来のラックでは、棚板の数を増やすことが困難であることから、飼育ケージの配置密度を上げることができないという問題もあった。
【００１１】
このような従来の実験動物飼育装置の諸問題を解決すべく、細菌の侵入や漏出に対するバリヤを飼育ケージごとに構築する新方式の実験動物飼育装置が提案された。提案された新方式の実験動物飼育装置では、ラックの各ケージ収容部に収納された飼育ケージの上部に、ファン装置とＨＥＰＡフィルターとを備える給気ユニットをそれぞれ取り外し可能に乗せ、この給気ユニットによって飼育室内の清浄な空気を飼育ケージごとに供給するものであった。具体的には、飼育ケージの上部開口を取り外し可能に閉鎖しているカバーにフィルター付きの給気口を形成し、このカバー上に給気ユニットをその底部が密着するように乗せて、給気ユニットの底面に形成した通気口から飼育ケージ内へカバーの給気口を介して清浄な空気を供給するようにしたものであった。
【００１２】
しかし、提案された新方式の実験動物飼育装置では、飼育ケージをラックのケージ収容部から出し入れするたびに給気ユニットを飼育ケージのカバーから取り外したり、また所定位置に精度良く装着したりしなければならず、操作が非常に煩わしく、飼育ケージと給気ユニットとの効果的な着脱手段を工夫しなければ、ラックへの飼育ケージの出し入れが極めて面倒である、という問題が予想された。
【００１３】
本発明の目的は、かかる従来の問題点を解決するためになされたもので、細菌の侵入や漏出に対するバリヤを飼育ケージごとに構築するように構成された実験動物飼育用のラック装置を提供することにある。
【００１４】
すなわち、本発明は、細菌の侵入や漏出に対するバリヤを飼育ケージごとに構築するように構成された実験動物飼育用のラック装置において、各ケージ収容部に飼育ケージを出し入れするとき、飼育ケージのカバー上に乗せる給気ユニットを自動的に昇降させるように支持して飼育ケージのケージ収容部からの出し入れ操作を容易にするラック装置の提供を目的とする。
【課題を解決するための手段】
【００１５】
前記課題を解決するための本発明の前提は、上部の開口を着脱自在なカバーで覆って密閉された飼育ケージと、該飼育ケージの前記カバー上に着脱可能に設置され、前記カバーに形成された通気口から清浄な空気を該飼育ケージ内に供給する給気ユニットとからなる少なくとも１つの飼育ケージ装置を保管して飼育管理を行う実験動物飼育用のラック装置である。
【００１６】
かかる前提の実験動物飼育用のラック装置における特徴は、前記飼育ケージを出入り可能に収納する少なくとも１つのケージ収容部と、該ケージ収容部の上方に設けられた給気ユニット取り付け手段とを備え、前記飼育ケージは前記ラック装置の前方から後方へ向かって前記ケージ収容部へ進入し、かつその逆方向へ向かって前記ケージ収容部から取り出し可能であり、前記給気ユニット取り付け手段が、前記給気ユニットを着脱可能に保持するホルダーと、該ホルダーを前記ラック装置の前方側に設定された初期位置と後方側に設定されたセット位置との間で往復移動可能にすると共に前記ホルダーが前記セット位置に近づくにしたがい前記ケージ収容部の底面へ向かう方向へ移動する移動支持機構部と、前記飼育ケージが前記ケージ収容部へ進入するとき前記飼育ケージの進入に連動して前記ホルダーを前記初期位置から前記セット位置へ動かす連動部材とから構成され、前記飼育ケージを前記ラック装置の前方から前記ケージ収容部へ進入させるとき、前記連動部材と前記移動支持機構部とにより前記ホルダーが前記飼育ケージと共に前記後方へ移動しながら、前記ケージ収容部の前記底面へ向かう方向へも移動し、前記ホルダーで保持されている前記給気ユニットを前記セット位置で前記飼育ケージの前記カバー上に密着させることである。
【００１７】
本発明に係る実験動物飼育用のラック装置における実施形態の他の一例としては、前記移動支持機構部が、前記ホルダーを前記セット位置から前記初期位置へ戻す方向への復帰力を付与する復帰力付勢手段を備え、該復帰力付勢手段は、前記ホルダーが前記セット位置にあるとき前記復帰力を前記ホルダーに対して非付勢状態にすることである。
【００１８】
本発明に係る実験動物飼育用のラック装置における実施形態の他の例としては、前記給気ユニット取り付け手段が、前記飼育ケージの前記ケージ収容部における両側部に配置され、前記前後方向へ延びる一対の支持板を備え、前記移動支持機構部が、前記各支持板に形成され、前記前後方向へ延びるガイドスロットを含み、前記ホルダーが、その両側部に設けられた突起部を前記ガイドスロット内に摺動可能に嵌合して移動可能に支持されていることである。
【００１９】
本発明に係る実験動物飼育用のラック装置における実施形態の他の例としては、前記ガイドスロットが、前記前方から前記ケージ収容部の前記底面へ向かう方向へ傾斜しながら後方へ向かっていることである。
【００２０】
本発明に係る実験動物飼育用のラック装置における実施形態の他の例としては、前記移動支持機構部の前記復帰力付勢手段が、前記支持板に取り付けられたねじりコイルバネから構成され、該ねじりコイルバネの一方のバネ端が前記支持板の前記スロットから突出する前記突起部に係合し、他方のバネ端が前記支持板に係止され、前記突起部に係合している前記一方のバネ端が、前記ホルダーを前記初期位置の方向へ付勢する水平方向分力と前記ケージ収容部の前記底面へ向かうほぼ垂直な方向へ付勢する垂直方向分力との合成力を前記突起部に付与し、前記ねじりコイルバネは、前記ホルダーが前記初期位置から前記セット位置までの間を移動するときは、前記ねじりコイルバネの前記一方のバネ端により前記突起部に付勢する前記合成力のうち前記水平方向分力が前記垂直方向分力より大きく、前記ホルダーが前記セット位置にきたとき、前記垂直方向分力が前記水平方向分力より大きくなる位置で前記支持板に取り付けられていることである。
【００２１】
本発明に係る実験動物飼育用のラック装置における実施形態の他の例としては、前記給気ユニット取り付け手段が、前記ホルダーの後方に取り付けられたロッド当接部を備え、また前記ホルダーが、その後方端部に取り付けられた給電用端子を備え、前記給気ユニットが前記ホルダーに保持されたとき、前記給電用端子が前記給気ユニットの後端に設けられているソケットに差し込まれ、前記給気ユニットを保持している前記ホルダーが、前記飼育ケージの前記ケージ収容部への進入に連動して前記セット位置に移動したとき、前記給気ユニットの後端から突出する電源スイッチ装置のロッドが前記ロッド当接部に当接して押し込まれ、前記給気ユニットに設けられている給気用のファン装置に給電して作動させることである。
【００２２】
本発明に係る実験動物飼育用のラック装置における実施形態の他の例としては、前記ラック装置が、該ラック装置の全体を熱により滅菌することが可能なように少なくとも１２１度以上の熱に耐え得る材料で形成されていることである。
【発明の効果】
【００２３】
本発明の実験動物飼育用のラック装置によると、飼育ケージのカバー上に配置された給気ユニットにより飼育ケージの外部から空気を取り込むと共に清浄化するので、従来の装置のように飼育ラックの棚板に給気ダクトを形成する必要がなく、その結果、薄い棚板を使用することができ、そのため棚板の数を増やすことができ、飼育ケージの収容密度を上げることができる。
【００２４】
また、本発明の実験動物飼育用のラック装置によれば、飼育ケージをケージ収容部に出し入れするだけで、ケージ収容部の上部に支持された給気ユニットが飼育ケージのカバーに対して昇降するため、飼育ケージをラック装置から出し入れする操作が非常に容易であるばかりでなく、飼育ケージをラック装置のケージ収容部に配置するとき給気ユニットを飼育ケージのカバー上に密着した状態でセットするのを失念することがないので飼育ケージのラック装置への収容をきわめて安全かつ確実にできる。
【発明を実施するための最良の形態】
【００２５】
添付の図面を参照して、本発明に係る実験動物飼育装置の詳細を説明すると、以下のとおりである。図１は、本発明の一実施形態に係る実験動物飼育用のラック装置１０を前方側から見た正面図であり、図２は、実験動物飼育室１００を概略的に示す構成説明図である。
【００２６】
図１に示される実験動物飼育用のラック装置１０は、ほぼ四角形に組まれた上下一対の枠部材１１，１２の各コーナー部にそれぞれ縦方向支柱１３を立てて連結一体化し、下部の枠部材１２に横方向へ延びる底板（下棚板）１４ａを配置すると共に上下の各枠部材１１，１２における高さ方向ほぼ中間部にも上棚板１４ｂを設置して構成されている。ラック装置１０は、横方向に等間隔で６本の区画兼支えロッド１５を上下の各枠部材１１，１２間に立て、上下それぞれにおいて横方向に７つのケージ収容部１６を画成している。
【００２７】
各ケージ収容部１６内の両側部には、飼育ケージ１０１をケージ収容部１６の棚板上にラック装置１０の前方から後方へ向かって正確に進入させることができるように、前方から後方へ延びるＬ型のガイドレール板１７が各棚板１４ａ，１４ｂに取り付けられている。また、各ケージ収容部１６の上部には、給気ユニット取り付け手段１８が設置されている。ラック装置１０の概略的な構成を示す図１では、給気ユニット取り付け手段１８を構成しているホルダー１９のみが示されている。図１には、ラック装置１０における上段左側のケージ収容部１６に飼育ケージ１０１と給気ユニット１０２とが配置されている状態が仮想線で示されている。実験動物はこれら飼育ケージ１０１に収容されて飼育される。
【００２８】
図２に示される実験動物飼育室１００では、該室内に図１に示すラック装置１０が、対向する一対の壁に沿って上下２台づつ合計４台設置され、実験動物を飼育する関係者は、通常、この実験動物飼育室１００内で飼育の作業を行う。この実験動物飼育室１００の天井には、空調用の室内吹出口１０３が設けられている。室内吹出口１０３からは、室外に設置された空気調和機１０４で温湿度が調節されかつ除塵された清浄空気が供給される。
【００２９】
実験動物飼育室１００内には、排気チャンバー１０５ａを内部に形成した排気ボックス１０５が各ラック装置１０の背面側に密着して取り付けられている。したがって、排気ボックス１０５のケーシング板は、各ケージ収容部１６の後方側（背面側）を塞いでいる。このケーシング板で形成されるラック装置１０の背面板には、各ケージ収容部１６に配置される飼育ケージ１０１の位置にほぼ対応して排出口１０６が形成されており、各ケージ収容部１６は各排出口１０６を介して排気ボックス１０５の排気チャンバー１０５ａに連通している。排気ボックス１０５は、排気ダクト１０７により室外に設置された排気ファン１０８に接続され、排気ボックス１０５の排気チャンバー１０５ａ内に排気された空気は、排気ファン１０８により実験動物飼育室１００の外に排出される。
【００３０】
図３は、１つのケージ収容部１６に飼育ケージ１０１と給気ユニット１０２とを配置したラック装置１０の部分的な断面図である。図３から明らかなように飼育ケージ１０１は、上部が開口したケージ本体１１０と、ケージ本体１１０の上面を塞ぐように取り外し自在に設けられたカバー１１１とから構成されている。このケージ本体１１０は、合成樹脂材料やその他実験動物の飼育に適する材料から形成され、また、カバー１１１も合成樹脂材料やその他実験動物の飼育に適する材料から形成されているが、アルミニウムやステンレスなどの金属材料で形成することも好ましい。カバー１１１には、ラック装置１０の前方側（図３で見て左側）に位置する上面部分に空気を取り込む給気口１１２が形成され、後方側に位置する上面部分に空気を排出する排気口１１３が形成されている。これら給気口１１２，排気口１１３はそれぞれフィルター１１４ａ，１１４ｂで覆われている。このフィルター１１４ａ，１１４ｂは、高度な濾過能力を備えるフィルター、例えばＨＥＰＡフィルターや、中性能フィルターを用いることが好ましい。
【００３１】
飼育ケージ１０１のカバー１１１上には、給気ユニット取り付け手段１８により支持された給気ユニット１０２が設置されている。給気ユニット１０２は、図４，図５に示されるように薄型の密閉箱（ケーシング）１２０を備え、その前面側の内部にファン装置１２１が設置されている。このファン装置１２１は、円盤形のシロッコファン１２２とモータ（図示せず）等から構成されている。このシロッコファン１２２の上方部には、該ファン１２２の回転中心部へ向かってケーシング外部の空気を吸い込む吸気口１２３が形成されており、この吸気口１２３は、プレフィルター１２４により覆われている。
【００３２】
ファン１２２の回転方向に沿ったファン装置１２１の側面には、その内部に吸い込まれた空気をファン１２２の遠心方向へ送り出す吹出部１２５が形成されている。吹出部１２５は、ここから吹き出された空気がケーシング１２０内の密閉された室１２６へ向かうように形成されている。密閉室１２６を画成しているケーシング１２０の底壁には、開口１２７が形成され、この開口１２７にも高度な濾過能力を備えるフィルター１２８、例えばＨＥＰＡフィルターが該開口１２７を覆って配置されている。また、ケーシング１２０の底壁外面には、開口１２７を囲むようにパッキング１２９が環状に配置されている。このパッキング１２９は、給気ユニット１０２が飼育ケージ１０１のカバー１１１の上面に配置されるとき、ケーシング１２０の底壁に形成されている開口１２７がカバー１１１の上面に形成されている給気口１１２と外部から遮断された状態で連通させるためのもので、カバー１１１の上面における給気口１１２の周囲部分に密着する。このことから明らかなように飼育ケージ１０１のカバー１１１に形成される給気口１１２は、ケーシング１２０の底壁に形成されている開口１２７の形成範囲よりも小さな範囲内に形成されている。
【００３３】
給気ユニット１０２の後端部には、図５に示されるように電源接続用のソケット１３０と、ファン装置１２１への電源接続をオンオフする電源スイッチ装置１３１とが設けられている。電源スイッチ装置１３１は、プッシュロッド式で、該電源スイッチ装置１３１のスイッチ本体（図示せず）から後方へ突出しているロッド１３１ａを押し込むとファン装置１２１に駆動電力が供給され、押し込み力を解除するとスイッチ本体内部のバネ力によりロッド１３１ａが突出し、ファン装置１２１への電力供給を遮断する。
【００３４】
次に、給気ユニット１０２をケージ収容部１６の上部で支持する給気ユニット取り付け手段１８について説明する。図６は、ケージ収容部１６の上部に設置される給気ユニット取り付け手段１８をラック装置１０の枠部材１１から取り外して示す斜視図である。給気ユニット取り付け手段１８は、コ字形をした一対のホルダー１９を備え、これらホルダー１９は、その溝状部１９ａが向かい合うように間隔をあけて並行に、かつラック装置１０の前後方向へ延びている。給気ユニット１０１は、その両側部を各ホルダー１９の溝状部１９ａに嵌合させながら両ホルダー１９間に位置するようにラック装置１０の前方側から後方へ向かって挿入され、該ホルダー１９によって着脱可能に保持される。
【００３５】
両ホルダー１９の後方側において、各ホルダー１９の溝状部１９ａを形成している下部フランジ１９ｂの下面には、Ｌ型の結合板２０の各端部が固着され、両ホルダー１９を連結している。この結合板２０のほぼ中央部には、板状体からなる連動部材２１の一端が固着され、他端は後方へ向かって延びた後に下方向へ折り曲げられている。この折り曲げられた部分を、便宜的に連動部材２１の係止部２１ａと称する。また、結合板２０には、給電用端子２２を備え、給気ユニット１０２が両ホルダー１９によって保持されたとき、給電用端子２２が給気ユニット１０２の後端部に設けられているソケット１３０に差し込まれるようになっている。
【００３６】
両ホルダー１９の前方側の端部には、止めねじ挿通用の透孔１９ｃが形成されている。この透孔１９ｃは、給気ユニット１０２が２つのホルダー１９によって所定位置に保持されたとき、給気ユニット１０２の前方側における両側面に形成されているねじ穴１３２（図４，５を参照）と整合し、止めねじ（図示せず）をホルダー１９の外側から入れて給気ユニット１０２のねじ穴１３２に螺着してホルダー１９との強固な結合を図り、給気ユニット１０２がホルダー１９から不用意に抜け抜け出ないようにしている。
【００３７】
また、給気ユニット取り付け手段１８は、ホルダー１９に沿って前後方向へ延びる一対の支持板２３ａ，２３ｂを備えている。これら支持板２３ａ，２３ｂは、図６に示されるようにラック装置１０を構成している枠部材などの固定部分に取り付けられたコ字形のプレート２３の該コ字形部分を画成している対向した内側部を下方へ折り曲げたフランジ部で構成されている。２つのホルダー１９は、これら支持板２３ａ，２３ｂに取り付けられている。それぞれの支持板２３ａ，２３ｂに取り付けられている各ホルダー１９は、移動支持機構部２４によりラック装置１０の前方側と後方側とに設定された初期位置とセット位置との間を往復動可能とされている。すなわち、移動支持機構部２４は、各支持板２３ａ，２３ｂの前後２カ所に形成され、それぞれが前後方向へ延びるガイドスロット２５と、各ホルダー１９の両側部に設けられ、ガイドスロット２５内に摺動可能に嵌合している突起部２６とにより構成されている。
【００３８】
各ガイドスロット２５は、前方から後方へ延びるにしたがいケージ収容部１６の底面に向かうように傾斜している。ホルダー１９の初期位置とは、突起部２６がガイドスロット２５の前方側端部に位置しているときの状態（図７参照）をいい、ホルダー１９のセット位置とは、突起部２６がガイドスロット２５の後方側端部に位置しているときの状態（図８を参照）をいう。一対の支持板２３ａ，２３ｂを形成しているコ字形のプレート２３において、ホルダー１９の後方に位置する下面にはロッド当接部２７が取り付けられている。このロッド当接部２７の当接面２７ａは、給気ユニット１０２を保持したホルダー１９が初期位置からセット位置に移動したときに給気ユニット１０２の後端部から突出している電源スイッチ装置１３１のロッド１３１ａが当接してこれを押し込むことができる位置にある。
【００３９】
さらに、移動支持機構部２４は、復帰力付勢手段２８を備えている。この復帰力付勢手段２８は、一方の支持板２３ｂに取り付けられたねじりコイルバネ２９から構成され、該ねじりコイルバネ２９の一方のバネ端２９ａが支持板２３ｂの一つのガイドスロット２５から突出する突起部２６の後方側周面に係合し、他方のバネ端２９ｂが後方側に延びて支持板２３ｂに係止されている。このラック装置１０では、このねじりコイルバネ２９の支持板２３ｂへの取り付け位置が極めて重要となる。そこで、ねじりコイルバネ２９の支持板２３ｂへの取り付け位置について、図７，図８を参照して説明する。
【００４０】
図７は、ホルダー１９が初期位置にあるときの復帰力付勢手段２８における状態、言い換えれば、ねじりコイルバネ２９の一方のバネ端２９ａと突起部２６との係合状態を示し、図８は、ホルダー１９がセット位置にあるときのねじりコイルバネ２９の一方のバネ端２９ａと突起部２６との係合状態を示している。ねじりコイルバネ２９は、突起部２６に係合している一方のバネ端２９ａが、ホルダー１９を初期位置の方向へ付勢する水平方向分力（図８において矢印３０ａで示すベクトル）と、ケージ収容部１６の底面へ向かうほぼ垂直な方向へ付勢する垂直方向分力（図８において矢印３０ｂで示すベクトル）との合成力（図８において矢印３０で示すベクトル）を突起部２６に付与している。
【００４１】
ガイドスロット２５に摺動可能に嵌合している突起部２６に対して上述のような付勢力を与えるねじりコイルバネ２９は、ホルダー１９が初期位置のとき、一方のバネ端２９ａにより突起部２６に付勢する合成力３０のうち水平方向分力３０ａが垂直方向分力３０ｂより大きく（図７に示す状態）、ホルダー１９がセット位置のときには、垂直方向分力３０ｂが水平方向分力３０ａより大きく（図８に示す状態）なるような位置にねじりコイルバネ２９の中心部であるコイル部２９ｃが支持板２３ｂに支持されている。
【００４２】
ねじりコイルバネ２９のこのような取り付け位置としては、図７，図８に示されるようにねじりコイルバネ２９の中心部であるコイル部２９ｃを概ねガイドスロット２５における前方側端部の上部付近で支持板２３ｂに取り付けることが好ましい。しかし、ホルダー１９のセット位置において、ねじりコイルバネ２９の一方のバネ端２９ａが突起部２６に対して付勢する合成力のうちの垂直方向分力の大きさはガイドスロット２５の長さや傾斜角度によって異なるのでこれらの寸法的条件を考慮した上で設計することが必要である。
【００４３】
次に、このラック装置１０における１つのケージ収容部１６に飼育ケージ１０１と給気ユニット１０２とを配置する手順について説明する。最初に、すでに説明したように給気ユニット１０２をホルダー１９に取り付けると、給気ユニット１０２は、その後端部のソケット１３０に給電用端子２２が差し込まれて給電される。しかし、給電ユニット１０２の後端部から突出している電源スイッチ装置１３１のロッド１３１ａは、ホルダー１９が初期位置にあることからプレート２３に取り付けられているロッド当接板２７の当接面２７ａには当接していないので、給気ユニット１０２内のファン装置１２１は作動していない。
【００４４】
この状態から棚板１４ａ，１４ｂ上における２つのガイドレール１７間に飼育ケージ１０１をラック装置１０の前方側から入れ、後方側に押し込んでケージ収容部１６に入れる。その際、図７に示されるように飼育ケージ１０１におけるカバー１１１の後端部が、結合板２０に取り付けられた連動部材２１の係止部２１ａに当接する。そして、なおも飼育ケージ１０１をケージ収容部１６内に押し込むと、飼育ケージ１０１が連動部材２１および結合板２０を介してホルダー１９を後方へ引っ張る。ホルダー１９には、復帰力付勢手段２８により初期位置への復帰力が作用しているので、ホルダー１９はその復帰力に抗して後方のセット位置へ向かって移動させられる。
【００４５】
ホルダー１９が後方のセット位置へ向かって移動するとき、その移動をガイドするガイドスロット２５が後方向下向きに傾斜しているので、ホルダー１９は後方へ移動しながら下方へも下がる。そして、ホルダー１９がセット位置に来たときには、給気ユニット１０２の下面に取り付けられているパッキング１２９が飼育ケージ１０１のカバー１１１における所定の位置に密着する。そのとき、図８に示されるように復帰力付勢手段２８を構成しているねじりコイルバネ２９の一方のバネ端２９ａは、ガイドスロット２５から突出する突起部２６に対して水平方向分力３０ａより垂直方向分力３０ｂが大きくなる方向へバネ力を掛けるようになるので、ホルダー１９がセット位置に来たときには、ねじりコイルバネ２９による前方向への復帰力がほとんど作用せず、むしろ下方向への押し付け力が大きくなるためホルダー１９はセット位置で給気ユニット１０２を飼育ケージ１０１のカバー１１１上面に押し付けたまま静止状態を維持する。
【００４６】
このようにして飼育ケージ１０１に押されて給気ユニット１０２がセット位置にくると、プレート２３に取り付けられているロッド当接部２７の当接面２７ａに給気ユニット１０２の後端部から突出している電源スイッチ装置１３１のロッド１３１ａが当接して押し込まれ、電源が入る。これにより、ファン装置１２１に給電されてシロッコファン１２２が回転を始め、実験動物飼育室１００内の清浄な空気が給気ユニット１０２内に吸気口１２３のプレフィルター１２４を通過して入り、さらに開口１２７のＨＥＰＡフィルター１２８および飼育ケージ１０１のカバー１１１に形成されている給気口１１２のフィルター１１４ａを通過して入る。飼育ケージ１０１内の空気は、排気口１１３のフィルター１１５を通過してケージ収容部１６に出て、後方に位置する排気ボックス１０５に形成されている排出口１０６から排気チャンバー１０５ａに吸い込まれて実験動物飼育室１００外に排気される。
【００４７】
次に、飼育ケージ１０１内で飼育されている実験動物の状態を観察したり、何らかの処置を施すために飼育ケージ１０１をケージ収容部１６から引き出す場合の動作について説明する。ホルダー１９がセット位置にあるときには、前述したように給気ユニット１０２の下面に取り付けられているパッキング１２９が飼育ケージ１０１のカバー１１１に密着しているので、飼育ケージ１０１をケージ収容部１６から引き出すと、給気ユニット１０２は、底面のパッキング１２９と飼育ケージ１０１のカバー１１１との摩擦力により前方へわずかに動かされる。その結果、給気ユニット１０２を保持しているホルダー１９は、前方へ移動しながら上昇するので、給気ユニット１０２のパッキング１２９が飼育ケージ１０１のカバー１１１から離れると同時に復帰力付勢手段２８のねじりコイルバネ２９の一方のバネ端２９ａが突起部２６に作用している付勢力のうち水平方向分力３０ａが垂直方向分力３０ｂより大きくなるので、ねじりコイルバネ２９によって受ける復帰力によってホルダー１９は初期位置へ戻る。
【００４８】
ホルダー１９が初期位置に戻る途中で、給気ユニット１０２の後端部から突出している電源スイッチ装置１３１のロッド１３１ａがロッド当接２７の当接面２７ａから離れるので、ロッド１３１ａは電源スイッチ装置１３１におけるスイッチ本体内の復帰バネによりその押し込みが解除され、電源スイッチ装置１３１が給電を遮断して、ファン装置１２１が停止する。
【００４９】
このような操作から明らかなように、このラック装置１０によると、給気ユニット取り付け手段１８を構成しているホルダー１９に給気ユニット１０２を取り付けておけば、飼育ケージ１０１をケージ収容部１６に対して単に出し入れするだけで、給気ユニット１０２が自動的に下降して飼育ケージ１０１のカバー１１１上に圧接した状態で配置されかつファン装置１２１を作動させたり、あるいはカバー１１１から自動的に上昇させて飼育ケージ１０１をケージ収容部１６から簡単に取り出すことができると共にファン装置１２１も自動的に停止させることができ、飼育ケージ１０１のケージ収容部１６への設置や取り出し操作が非常に容易にできる。
【００５０】
また、この実験動物飼育用のラック装置１０では、飼育ケージ１０１のカバー１１１上に配置された給気ユニット１０２により飼育ケージ１０１の外部から空気を取り込むと共に清浄化するので、従来の装置のように飼育ラックの棚板に給気ダクトを形成する必要がなく、その結果、薄い棚板を使用することができ、そのため棚板の数を増やすことができ、飼育ケージの収容密度を上げることができる。
【００５１】
前述した本発明に係る実施形態では、ホルダー１９を前後に移動させながら昇降させる移動支持機構部２４として傾斜したガイドスロット２５を支持板２３ａ，２３ｂに形成したが、本発明はこのようなガイドスロット２５に限定されるものではない。たとえば、図９に示されるように各支持板２３ａ，２３ｂ（図９では図７，８と同様に一方の支持板２３ｂのみを示している）とホルダー１９とを前後それぞれに配置した２つのリンク３１で接続してもよい。すなわち、各リンク３１の一端を支持板２３ａ，２３ｂに枢着し、他端をホルダー１９に枢着して、ホルダー１９が支持板２３ａ，２３ｂに対して振り子のように揺動可能に吊り下げる。このような構成において、復帰力付勢手段２８は、ホルダー１９の前後方向ほぼ中間部の外側面に取り付けられた突起部２６と、支持板２３ｂに取り付けられたねじりコイルバネ２９とから構成することができる。
【００５２】
ねじりコイルバネ２９の一方のバネ端２９ａは突起部２６の後方側周面に係合し、他方のバネ端２９ｂが後方側に延びて支持板２３ｂに係止されている。このねじりコイルバネ２９の支持板２３ｂへの取り付け位置は、前述した実施形態の場合と同じであるのでその詳細な説明を省略する。なお、ホルダー１９が前後に動くとき、突起部２６が支持板２３ｂと接触しないように符号３２で示すようにその周囲部を切り欠いておくことが好ましい。
【００５３】
このようにホルダー１９をリンク３１で吊り下げるように支持しておけば、ホルダー１９が初期位置とセット位置との間を往復動するとき上下に昇降することになり、図６に示す実施形態と同様な動きをさせることができる。なお、図３に示される実施形態に係る実験動物飼育用のラック装置１０では、ホルダー１９が下降しながら後方向へ移動するときの停止手段すなわちストッパーは、支持板２３ａ，２３ｂに形成されたガイドスロット２５の後方側端部であった（この端部に突起部２６が当接することによりホルダー１９が停止してセット位置となる）。
【００５４】
しかし、ホルダー１９と支持板２３ａ，２３ｂとをリンク３１で接続した場合には、ホルダー３１により保持された給気ユニット１０２の下面に設けられているパッキング１２９が飼育ケージ１０１のカバー１１１上面に圧接するので飼育ケージ１０１が棚板１４ａ，１４ｂに押し付けられ、これにより飼育ケージ１０１がセット位置を越えて後方向へ移動することは物理的にできなくなる。ただ、このような方法でセット位置を決めることは、パッキング１２９に過度な圧縮力を及ぼしかねないので、リンク３１で揺動可能に吊り下げられたホルダー１９が下降しながら後方向へ移動したときに設計したセット位置で停止するように、リンク３１の後方側の側縁に当接する位置に突起部３３を支持板２３ａ，２３ｂの少なくともいずれか一方に取り付けておくことが好ましい。
【００５５】
上述した各実施形態は、本発明における最適な例を挙げたものであり、本発明は、これらの実施形態に限定されるものではない。本発明は、その要旨を逸脱しない範囲で種々の変形例を含むものである。
【図面の簡単な説明】
【００５６】
【図１】本発明の一実施形態に係る実験動物飼育用のラック装置を概略的に示す正面図。
【図２】本発明のラック装置が設置された実験動物飼育室を概略的に示す構成説明図。
【図３】１つのケージ収容部に給気ユニットと飼育ケージが配置されたラック装置の部分的な断面図。
【図４】給気ユニットを前方側から見た斜視図。
【図５】給気ユニットを後方側から見た斜視図。
【図６】ケージ収容部の上部に設置される給気ユニット取り付け手段をラック装置の枠部材から取り外して示す斜視図。
【図７】図６の給気ユニット取り付け手段を側方から見た側面図。
【図８】ホルダーが初期位置からセット位置へ移動したときの給気ユニット取り付け手段を示す図７と同様な側面図。
【図９】本発明の他の実施形態に係る実験動物飼育用のラック装置における給気ユニット取り付け手段を示す図７と同様な側面図。
【符号の説明】
【００５７】
１０    ラック装置
１４ａ，１４ｂ    棚板
１６    ケージ収容部
１８    給気ユニット取り付け手段
１９    ホルダー
２１    連動部材
２２    給電用端子
２３ａ，２３ｂ    支持板
２４    移動支持機構部
２５    ガイドスロット
２６    突起部
２７    ロッド当接部
２８    復帰力付勢手段
２９    ねじりコイルバネ
３１    リンク
１０１    飼育ケージ
１０２    給気ユニット
１１１    カバー
【図１】
2006314264.tif 000003
【図２】
2006314264.tif 000004
【図３】
2006314264.tif 000005
【図４】
2006314264.tif 000006
【図５】
2006314264.tif 000007
【図６】
2006314264.tif 000008
【図７】
2006314264.tif 000009
【図８】
2006314264.tif 000010
【図９】
2006314264.tif 000011